(57)【要約】【課題】センサと制御部との接続状態の検査の簡易化および当該検査に要する時間の大幅な短縮を図ることができる照明装置を提供する。【解決手段】ＬＥＤモジュール１では、センサユニット２１が、制御回路１０６から信号線Ｌを介して問合せ信号が入力されると、信号線を介して制御回路１０６に対して応答信号を出力する。制御回路１０６は、釦ユニット２０３の釦（受付手段）２０３ａ，２０３ｂ，２０３ｃが同時に押下されると、センサユニット２１に対して問合せ信号を出力し、センサユニット２１から応答信号が入力されるか否かに基づいてセンサユニット２１と制御回路１０６との間の信号線Ｌによる接続状態を判定する。【選択図】図１
2014022304.tif 000002
【特許請求の範囲】
【請求項１】
少なくとも１つの光源と、
センサユニットと、
前記センサユニットから導出された信号線を通じて前記センサユニットから出力される信号を受けると、当該信号に基づいて前記光源を点灯制御する制御部と、
前記センサユニットと前記制御部との接続状態を検査するための操作を受け付ける受付手段とを備え、
前記センサユニットは、前記制御部から前記信号線を通じて、前記センサユニットに対して接続状態を問い合わせるための問合せ信号が入力されると、前記信号線に応答信号を出力し、
前記制御部は、更に、
前記受付手段が前記操作を受け付けると、前記信号線に前記問合せ信号を出力し、前記センサユニットから前記信号線を通じて前記応答信号が入力されるか否かに基づいて前記センサユニットと前記制御部との間の前記信号線による接続状態を判定する
ことを特徴とする照明装置。
【請求項２】
前記制御部は、前記センサユニットと前記制御部との間が前記信号線で接続されているか否かの判定結果を報知する
ことを特徴とする請求項１記載の照明装置。
【請求項３】
前記制御部は、更に、前記判定結果に基づいて、前記光源を点灯している状態と、前記光源が消灯している状態とを切り替えることにより報知する
ことを特徴とする請求項２記載の照明装置。
【請求項４】
更に、前記光源とは別に、前記判定結果を報知する報知手段を備える
ことを特徴とする請求項２記載の照明装置。
【発明の詳細な説明】
【技術分野】
【０００１】
本発明は、照明装置に関し、特に、制御回路とセンサユニットとの接続状態を検査する技術に関するものである。
【背景技術】
【０００２】
従来から、オフィス等の天井に設置される照明装置には、明るさセンサから出力される電圧信号の振幅に応じて光源の調光率を自動的に変化させるいわゆる自動調光機能を有する制御回路を備えるものが提案されている（例えば、特許文献１参照）。
また、特許文献１に記載された照明装置は、制御回路の動作状態を外部に報知するためにＬＥＤを用いた動作表示部を有する。この動作表示部は、自動調光機能が働いている間において、制御回路が光源の調光率を一定に維持している期間は点灯状態を維持し光源の調光率を増減させている期間中は点滅する。従って、照明装置の周囲の明るさが変化している環境下では、制御回路が明るさセンサから出力される電圧信号の振幅に応じて光源の調光率を増減させるので、動作表示部は点滅する。
【０００３】
特許文献１に記載された照明装置の中には、照明装置の組み立て時に制御回路と明るさセンサとを信号線で接続する種類がある。
この種の照明装置では、組み立て後の出荷前検査において、制御回路と明るさセンサとを接続する信号線の断線の有無や明るさセンサと信号線との間の接続不良の有無を検査し、市場へ流出する前に接続不良品を選別することが要請されている。
【０００４】
そこで、この出荷前検査では、照明装置の周囲の明るさを変化させたときに、動作表示部が点滅するか否かを目視することにより、制御回路と明るさセンサとの接続状態を検査する。ここにおいて、制御回路と明るさセンサとが正常に接続されていれば、制御回路は、明るさセンサから出力される電圧信号の振幅の変化に応じて光源の調光率を変化させるので動作表示部が点滅する。一方、制御回路と明るさセンサとの間に接続不良が生じていれば、制御回路は、明るさセンサの出力の変化とは無関係に光源の調光率を一定に維持するので動作表示部は点灯状態を維持する。このように、動作表示部が制御回路と明るさセンサとの間の接続不良の有無に応じて異なる動作をすることを利用して制御回路と明るさセンサとの接続状態を検査する。
【０００５】
また、この出荷前検査では、照明装置の周囲の明るさが変化している期間、即ち、制御回路が光源の調光率を増減させている期間（以下、「変化期間」と称する。）をある程度長く（例えば、１０ｓｅｃ程度）することにより、動作表示部が点滅するか否かを正確に判断できるようにする必要がある。
【先行技術文献】
【特許文献】
【０００６】
【特許文献１】特開２０１０−９７９００号公報
【発明の概要】
【発明が解決しようとする課題】
【０００７】
しかしながら、この検査方法では、まず、照明装置を外光の遮断された環境に配置してから当該環境の明るさを漸次変化させていく。このときに動作表示部が点滅するか否かを検査を行う者が目視確認する。このように、この検査方法では、照明装置が配置された環境の明るさを変化させながら動作表示部の確認を行うという比較的煩雑な作業を要する。
また、照明装置の出荷前検査を行う者が、動作表示部が点滅するか否かを正確に判断できるようにするために、上記変化期間の長さはある程度長くしておく必要がある。この変化期間の長さが、動作表示部の点滅周期よりも短いと、出荷前検査を行う者が、動作表示部の点滅を認識できない。また、動作表示部の点滅周期が短過ぎると、出荷前検査を行う者が動作表示部が点滅しているにも関わらず、「点滅」として認識できなくなる。そのため、この検査方法では、上記変化期間の長さを大幅に短縮することは難しく、検査時間全体の大幅な短縮を図りにくい。
【０００８】
本発明は、上記事由に鑑みてなされたものであり、センサと制御部との接続状態の検査の簡易化および当該検査に要する時間の大幅な短縮を図ることができる照明装置を提供することを目的とする。
【課題を解決するための手段】
【０００９】
上記課題を解決するために、本発明に係る照明装置は、少なくとも１つの光源と、センサユニットと、センサユニットから導出された信号線を通じてセンサユニットから出力される信号を受けると、当該信号に基づいて光源を点灯制御する制御部と、センサユニットと制御部との接続状態を検査するための操作を受け付ける受付手段とを備え、センサユニットは、制御部から信号線を通じて、センサユニットに対して接続状態を問い合わせるための問合せ信号が入力されると、信号線に応答信号を出力し、制御部は、更に、受付手段が上記操作を受け付けると、信号線に上記問合せ信号を出力し、センサユニットから信号線を通じて上記応答信号が入力されるか否かに基づいてセンサユニットと制御部との間の信号線による接続状態を判定する。
【発明の効果】
【００１０】
本構成によれば、制御部が、センサユニットに対して問合せ信号を出力し、このときに、センサユニットから応答信号が入力されるか否かによってセンサユニットと制御部との間の接続状態を判定する。具体的には、センサユニットと制御部とが信号線を介して正常に接続されていれば、センサユニットから制御部に応答信号が入力される。一方、センサユニットと制御部との間で接続不良が生じていれば、制御部に応答信号が入力されない。
【００１１】
これにより、センサユニットと制御部との接続状態の検査を行う者は、センサユニットと制御部との接続状態を検査するための操作を行うだけで、センサユニットと制御部との間の接続状態を検査することができる。
従って、センサユニットと制御部との接続状態の検査を行うために、照明装置を明るさが変化する環境に置く必要がなくなり、その分、検査作業の簡易化を図ることができる。また、本構成では、センサユニットと制御部との接続状態を検査するための操作を行った後、接続状態の検査結果が判明するまでの時間は、高々センサユニットと制御部との間での信号の送受信に要する時間程度であり、センサユニットと制御部との接続状態を検査するための操作を行ってから検査結果が判明するまでの時間が短い。そのため、検査時間全体の大幅な短縮を図ることができる。
【図面の簡単な説明】
【００１２】
【図１】実施の形態１に係る照明装置の回路図である。
【図２】実施の形態１について、（ａ）は明るさセンサの回路図を示し、（ｂ）は明るさセンサに入力される光の光束と、明るさセンサの第１信号端子と第２信号端子との間に出力される電圧信号の振幅との関係を示した図である。
【図３】実施の形態１に係る照明装置の一例を示す斜視図である。
【図４】実施の形態１に係る照明装置の一例を示す斜視図である。
【図５】実施の形態１に係るマイクロコンピュータの動作のフローチャートである。
【図６】実施の形態１に係るマイクロコンピュータおよび明るさセンサの動作を説明するためのタイムチャートである。
【図７】実施の形態２に係る明るさセンサの回路図である。
【図８】実施の形態２に係るマイクロコンピュータの動作のフローチャートである。
【図９】変形例に係る照明装置およびリモートコントローラの構成を示すブロック図である。
【発明を実施するための形態】
【００１３】
＜実施の形態１＞
＜１＞回路構成
本実施の形態に係る照明装置の回路図を図１に示す。
照明装置は、制御回路（制御部）１０６およびスイッチ（受付手段）ＳＷ１，ＳＷ２，ＳＷ３を有する点灯装置１と、第１発光部１１と、第２発光部（光源）１２と、センサユニット２１と、受信部３１と、ブザー４１とを備える。点灯装置１が有する制御回路１０６とセンサユニット２１とは、信号線Ｌを介して接続されている。
【００１４】
ここで、点灯装置１は、センサユニット２１から出力される電圧信号に応じて第１発光部１１の調光率を自動的に増減させる「自動調光機能」を有している。これにより、第１発光部１１の調光率は、自動的に照明装置の周囲の明るさに応じた最適値に設定される。
＜１−１＞第１発光部
第１発光部１１は、互いに直列に接続された複数のＬＥＤ１１ａからなる。この第１発光部１１は、例えば、３０個のＬＥＤ１１ａから構成される。
【００１５】
＜１−２＞第２発光部
第２発光部１２は、互いに直列に接続された複数のＬＥＤ１２ａからなる。この第２発光部１２は、例えば、６個のＬＥＤ１２ａから構成され、いわゆる常夜灯として機能する。
＜１−３＞受信部
受信部３１は、照明装置を遠隔操作するためのリモートコントローラ（図示せず。以下、「リモコン」と称する。）から発信された指示信号を受信すると、当該指示信号を変換して点灯装置１に入力する。受信部３１は、リモコンから発信される指示信号の媒体が赤外線であれば、当該赤外線を受光できる受光素子を備えた構成となる。なお、受信部３１は、リモコンから送信される指示信号の媒体が、例えば、微弱無線や特定小電力無線等であれば、無線受信機から構成される。
【００１６】
＜１−４＞ブザー
ブザー４１は、受信部３１がリモコンから発信された指示信号を受信する毎に鳴動するように設定できるようになっている。これにより、ユーザは、リモコンによる操作が照明装置に伝達していることを認知することができる。
＜１−５＞センサユニット
センサユニット２１は、点灯装置１の動作状態を表示する表示灯２２と、センサユニット２１の周囲の明るさを検知する明るさセンサ２３とを備える。ここで、「動作状態」とは、点灯装置１の自動調光機能が働いている状態や、点灯装置１が自動調光機能により第１発光部１１の調光率を増減している状態をいう。
【００１７】
表示灯２２は、点灯装置１に接続されており、点灯装置１により点灯制御される。表示灯２２は、ＬＥＤから構成されている。なお、表示灯２２は、ＬＥＤに限定されるものではなく、例えば、ＥＬ素子や豆電球等を用いたものであってもよいが、電力消費量やコスト等を総合的に考慮するとＬＥＤが好ましい。
明るさセンサ２３は、接地端子ｔｅ２３０と、電源端子ｔｅ２３１と、第１信号端子ｔｅ２３２と、第２信号端子ｔｅ２３３とを備え、周囲の明るさに応じた電圧信号を、第１信号端子ｔｅ２３２と第２信号端子ｔｅ２３３との間に出力する。また、明るさセンサ２３は、制御回路１０６から問合せ信号が入力されると、信号線Ｌに応答信号を出力する機能も有する。この明るさセンサ２３の詳細な構成については後述する。
【００１８】
＜１−６＞点灯装置
図１に示すように、点灯装置１は、整流回路１０１と、ＰＦＣ（Ｐｏｗｅｒ  Ｆａｃｔｏｒ  Ｃｏｒｒｅｃｔｉｏｎ）回路１０２と、第１降圧チョッパ回路１０３と、第２降圧チョッパ回路１０４と、レギュレータ１０５と、制御回路１０６とを備える。
＜整流回路＞
整流回路１０１は、外部電源ＡＣから供給される交流を整流して直流に変換する。整流回路１０１は、例えば、ダイオードブリッジから構成されるものであってもよい。整流回路１０１は、例えば、外部電源ＡＣからＡＣ１００Ｖの交流電圧が入力されると、１００Ｖの直流電圧を出力する。
【００１９】
＜ＰＦＣ回路＞
ＰＦＣ回路１０２は、入力力率を改善するための回路である。ＰＦＣ回路１０２は、例えば、周知の昇圧チョッパ回路から構成されるものであってもよい。ＰＦＣ回路１０２が昇圧チョッパ回路から構成される場合、ＰＦＣ回路は、例えば、整流回路１０１から入力される１００Ｖの直流電圧を１００Ｖよりも高い電圧に昇圧して出力する。
【００２０】
＜第１降圧チョッパ回路＞
第１降圧チョッパ回路１０３は、ＰＦＣ回路１０２から出力される電圧を降圧して（例えば、１００Ｖに降圧）第１発光部１１に出力する。第１降圧チョッパ回路１０３は、インダクタ、スイッチング素子、ダイオードおよびスイッチング素子の駆動回路を備える。
また、第１チョッパ回路１０３は、ＰＷＭ制御方式により出力が制御されている。具体的には、制御回路１０６から駆動回路にＰＷＭ信号が入力されると、駆動回路は、当該ＰＷＭ信号に基づいてスイッチング素子をオンオフさせる。このとき、第１降圧チョッパ回路１０３は、ＰＷＭ信号のオンデューティにより定まる所定の大きさの電圧を第１発光部１１に出力し、第１発光部１１が調光点灯する。一方、制御回路１０６から駆動回路に入力されるＰＷＭ信号が遮断されると、駆動回路は、スイッチング素子をオフで維持する。このとき、第１降圧チョッパ回路１０３が第１発光部１１への電圧出力を停止し、第１発光部１１が消灯する。
【００２１】
＜第２降圧チョッパ回路＞
第２降圧チョッパ回路１０４は、ＰＦＣ回路１０２から出力される電圧を降圧して（例えば、１５Ｖに降圧）第２発光部１２やレギュレータ１０５に出力する。第２降圧チョッパ回路１０４は、インダクタ、ダイオードおよび電源用ＩＰＤ（Ｉｎｔｅｌｌｉｇｅｎｔ  Ｐｏｗｅｒ  Ｄｅｖｉｃｅ）を備える。電源用ＩＰＤとは、スイッチング素子とその駆動回路の機能が一体化された電源用の集積回路である。第２降圧チョッパ回路１０４の高電位側の出力端は、限流用の抵抗Ｒ１０４を介して第２発光部１２の高電位側に接続されている。これにより、第２降圧チョッパ回路１０４は、その高電位側の出力端から抵抗Ｒ１０４を介して第２発光部１２への電流を供給することができる。
【００２２】
＜レギュレータ＞
レギュレータ１０５は、例えば、バンドギャップレギュレータからなり、第２降圧チョッパ回路１０４の出力端間に接続されている。レギュレータ１０５は、第２降圧チョッパ回路１０４から出力される電圧よりも低い一定の電圧を出力する。例えば、第２降圧チョッパ回路１０４から１５Ｖの電圧が入力されると、レギュレータ１０５は、５Ｖの一定の電圧を出力する。レギュレータ１０５の出力電圧は、制御回路１０６が正常に駆動するように設定されている。
＜１−７＞スイッチ
スイッチＳＷ１，ＳＷ２，ＳＷ３は、制御回路１０６の動作の切替を行うためのものである。スイッチＳＷ１，ＳＷ２，ＳＷ３は、いずれも押釦スイッチから構成され、押下されている間だけオンし、押下されていない期間はオフで維持される。
【００２３】
スイッチＳＷ１は、主として、照明装置と当該照明装置を遠隔操作するリモコンとの紐付け設定、言い換えれば、制御回路１０６とリモコンとの紐付け設定を行うためのものである。スイッチＳＷ１のみがオンする毎に、制御回路１０６は、制御回路１０６とリモコンとの紐付けが可能な設定モードと、制御回路１０６とリモコンとの紐付けが不可能な非設定モードとを繰り返す。
【００２４】
スイッチＳＷ２は、主として、制御回路１０６について、リモコンから指示信号を受信する毎にブザー４１を鳴動させる鳴動モードと、リモコンから指示信号を受信してもブザー４１を鳴動させない非鳴動モードとを切り替えるためのものである。スイッチＳＷ２のみがオンする毎に、制御回路１０６は、鳴動モードと非鳴動モードとを繰り返す。
スイッチＳＷ３は、主として、第１発光部１１の点灯消灯を切り替えるためのものである。スイッチＳＷ３のみがオンする毎に、制御回路１０６は、第１発光部１１を点灯させたり消灯させたりする。
【００２５】
スイッチＳＷ１は、第２降圧チョッパ回路１０４の低電位側の出力端と端子ｔｅ６１との間に接続されている。スイッチＳＷ１がオンすると、端子ｔｅ６１の電圧が「Ｈｉｇｈ」レベルから「Ｌｏｗ」レベルに切り替わる。
スイッチＳＷ２は、第２降圧チョッパ回路１０４の低電位側の出力端と端子ｔｅ６２との間に接続されている。スイッチＳＷ２がオンすると、端子ｔｅ６２の電圧が「Ｈｉｇｈ」レベルから「Ｌｏｗ」レベルに切り替わる。
【００２６】
スイッチＳＷ３は、第２降圧チョッパ回路１０４の低電位側の出力端と端子ｔｅ６３との間に接続されている。スイッチＳＷ３がオンすると、端子ｔｅ６３の電圧が「Ｈｉｇｈ」レベルから「Ｌｏｗ」レベルに切り替わる。
＜制御回路＞
制御回路１０６は、マイクロコンピュータ（以下、「マイコン」と称す。）１０６ａと、トランジスタＱ１０６と、抵抗Ｒ１，Ｒ２，Ｒ３とを備える。
【００２７】
抵抗Ｒ１は、一端がレギュレータ１０５の出力端に接続され、他端がスイッチＳＷ１を介して第２降圧チョッパ回路１０４の低電位側の出力端に接続されている。抵抗Ｒ２は、一端がレギュレータ１０５の出力端に接続され、他端がスイッチＳＷ２を介して第２降圧チョッパ回路１０４の低電位側の出力端に接続されている。抵抗Ｒ３は、一端がレギュレータ１０５の出力端に接続され、他端がスイッチＳＷ３を介して第２降圧チョッパ回路１０４の低電位側の出力端に接続されている。これらの抵抗Ｒ１，Ｒ２，Ｒ３はいわゆるプルアップ用抵抗として機能する。つまり、スイッチＳＷ１，ＳＷ２，ＳＷ３がオフの場合、抵抗Ｒ１，Ｒ２，Ｒ３それぞれの他端の電圧は、レギュレータ１０５の出力電圧（以下、「Ｈｉｇｈ」レベルと称する。）に略等しくなる。一方、スイッチＳＷ１，ＳＷ２，ＳＷ３がオンの場合、抵抗Ｒ１，Ｒ２，Ｒ３それぞれの他端の電圧は、第２降圧チョッパ回路１０４の低電位側の出力端の電圧（以下、「Ｌｏｗ」レベルと称する。）に略等しくなる。
【００２８】
トランジスタＱ１０６は、ＮＰＮ型バイポーラトランジスタからなる。なお、トランジスタＱ１０６は、ＰＮＰ型バイポーラトランジスタからなるものであってもよいし、或いは、ＭＯＳＦＥＴからなるものであってもよい。
マイコン１０６ａは、プロセッサ（図示せず）と、メモリ（図示せず）と、１１個の端子ｔｅ１，ｔｅ２，ｔｅ３，ｔｅ４，ｔｅ５１，ｔｅ５２，ｔｅ６１，ｔｅ６２，ｔｅ６３，ｔｅ７，ｔｅ８とを備える。メモリは、不揮発性メモリからなる。
【００２９】
端子ｔｅ０は、第２降圧チョッパ回路１０４の低電位側の出力端に接続されている。
端子ｔｅ１は、レギュレータ１０５の出力端に接続されている。
端子ｔｅ２は、第１降圧チョッパ回路１０３に接続されている。端子ｔｅ２からは、ＰＷＭ信号が出力され、第１降圧チョッパ回路１０３の一部を構成する駆動回路に入力される。
【００３０】
端子ｔｅ３は、トランジスタＱ１０６のベースに接続されている。端子ｔｅ３からトランジスタＱ１０６のベースに、トランジスタＱ１０６のターンオン電圧以上の所定の電圧が入力されると、トランジスタＱ１０６がオンする。そして、第２降圧チョッパ回路１０４の高電位側の出力端から、抵抗Ｒ１０４、第２発光部１２を経由する電流が流れ、第２発光部１２が点灯する。
【００３１】
端子ｔｅ４は、センサユニット２１の表示灯２２に接続されている。具体的には、表示灯２２を構成するＬＥＤのカソードに接続されている。端子ｔｅ４の電圧が端子ｔｅ１の電圧よりも低下すると、表示灯２２を構成するＬＥＤに電流が流れ、表示灯２２が点灯する。ここで、前述の自動調光機能が働いている期間のうち第１発光部１１の調光率が一定に維持されている期間中、マイコン１０６ａは、端子ｔｅ４の電圧を端子ｔｅ１の電圧よりも低い状態で維持することにより表示灯２２を点灯状態で維持する。一方、自動調光機能が働いている期間のうち第１発光部１１の調光率が増減している期間中、マイコン１０６ａは、端子ｔｅ４の電圧と端子ｔｅ１の電圧とが略同じ状態と、端子ｔｅ４の電圧が端子ｔｅ１の電圧よりも低い状態とを交互に繰り返すことにより、表示灯２２を点滅させる。これにより、照明装置の使用者は、表示灯２２を確認することにより、点灯装置１の自動調光機能が働いているか否か、および、点灯装置１が第１発光部１１の調光率の増減を行っているか否かを容易に確認することができる。
【００３２】
端子ｔｅ５１は、明るさセンサ２３の第１信号端子ｔｅ２３２に接続され、端子ｔｅ５２は、明るさセンサ２３の第２信号端子ｔｅ２３３に接続されている。そして、マイコン１０６ａは、端子ｔｅ５１に入力される電圧と端子ｔｅ５２に入力される電圧との差分電圧を明るさセンサ２３から出力される電圧信号として取得する。
端子ｔｅ６１は、抵抗Ｒ１とスイッチＳＷ１との間に接続され、抵抗Ｒ１の上記他端に生じる電圧が入力される。端子ｔｅ６１の電圧のみが一度「Ｈｉｇｈ」レベルから「Ｌｏｗ」レベルに切り替わると、マイコン１０６ａは、上記設定モードに切り替わる。設定モードに切り替わった後、スイッチＳＷ１のみが再度オンし、端子ｔｅ６１の電圧のみが再度「Ｈｉｇｈ」レベルから「Ｌｏｗ」レベルに切り替わると、マイコン１０６ａは、上記非設定モードに切り替わる。
【００３３】
設定モードにおいて、受信部３１が、リモコンから当該リモコンの識別情報を含む指示信号を受信すると、マイコン１０６ａは、当該指示信号に含まれる識別情報をメモリに記憶する。そして、非設定モードに切り替わった後、マイコン１０６ａは、リモコンから指示信号を受信した場合、当該指示信号に含まれる識別情報がメモリに記憶された識別情報と一致したときだけ、当該指示信号に含まれる指示情報に従った動作を行う。
【００３４】
端子ｔｅ６２は、抵抗Ｒ２とスイッチＳＷ２との間に接続され、抵抗Ｒ２の上記他端に生じる電圧が入力される。端子ｔｅ６２の電圧のみが一度「Ｈｉｇｈ」レベルから「Ｌｏｗ」レベルに切り替わると、マイコン１０６ａは、鳴動モードに切り替わる。鳴動モードに切り替わると、マイコン１０６ａは、受信部３１がリモコンから指示信号を受信する毎に端子ｔｅ８からブザー４１に所定の電圧を出力するようになる。鳴動モードに切り替わった後、スイッチＳＷ２のみが再度オンし、端子ｔｅ６１の電圧のみが再度「Ｈｉｇｈ」レベルから「Ｌｏｗ」レベルに切り替わると、マイコン１０６ａは、上記非鳴動モードに切り替わる。非鳴動モードに切り替わると、マイコン１０６ａは、リモコンから指示信号を受信しても端子ｔｅ８からブザー４１に電圧を出力しないようになる。
【００３５】
端子ｔｅ６３は、抵抗Ｒ３とスイッチＳＷ３との間に接続され、抵抗Ｒ３の上記他端に生じる電圧が入力される。端子ｔｅ６３の電圧が一度「Ｈｉｇｈ」レベルから「Ｌｏｗ」レベルに切り替わると、マイコン１０６ａは、端子ｔｅ２から第１降圧チョッパ回路１０３にＰＷＭ信号を入力することにより第１発光部１１を点灯させる。第１発光部１１を点灯させた後、スイッチＳＷ３のみが再度オンし、端子ｔｅ６３の電圧のみが再度「Ｈｉｇｈ」レベルから「Ｌｏｗ」レベルに切り替わると、マイコン１０６ａは、端子ｔｅ２から第１降圧チョッパ回路１０３へのＰＷＭ信号の入力を停止することにより第１発光部１１を消灯させる。
【００３６】
端子ｔｅ６１，ｔｅ６２，ｔｅ６３の電圧が同時に「Ｈｉｇｈ」レベルから「Ｌｏｗ」レベルに切り替わったときのマイコン１０６ａの動作については＜３＞で詳述する。
端子ｔｅ７は、受信部３１に接続されており、受信部３１が指示信号を受信すると、当該指示信号を変換してなる信号が入力される。
端子ｔｅ８は、ブザー４１に接続されており、端子ｔｅ８からブザー４１に所定の電圧が入力される毎にブザー４１が鳴動する。
【００３７】
なお、本実施の形態では、点灯装置１が第１降圧チョッパ回路１０３および第２降圧チョッパ回路１０４を備える例について説明したが、これらの代わりに昇降圧回路や昇圧回路を備える構成であってもよい。また、入力力率改善を考慮しないのであれば、ＰＦＣ回路１０２がない構成であってもよい。この構成によれば、ＰＦＣ回路がない分、回路の簡素化および回路規模の縮小を図ることができる。
＜１−８＞明るさセンサ
次に、明るさセンサ２３の構成について詳述する。
【００３８】
明るさセンサ２３の回路図を図２（ａ）に示し、明るさセンサ２３に入力される光の光束Φと、明るさセンサ２３の第１信号端子ｔｅ２３２と第２信号端子ｔｅ２３３との間に出力される電圧信号の振幅Ｖａとの関係を図２（ｂ）に示す。
図２（ａ）に示すように、明るさセンサ２３は、明るさ検知回路２３ａと、差動増幅回路２３ｂと、抵抗Ｒ２３と、トランジスタＱ２３と、ダイオードＤ２３ｂとを備える。
【００３９】
明るさ検知回路２３ａは、フォトダイオードＰＤと、抵抗Ｒ２３ａａ，２３ａｂと、コンデンサＣ２３ａとを備える。フォトダイオードＰＤは、カソードが抵抗Ｒ２３ａａを介して電源端子ｔｅ２３１に接続され、アノードが抵抗Ｒ２３ａｂを介して接地端子ｔｅ２３０に接続されている。そして、フォトダイオードＰＤに光が入射すると、電源端子ｔｅ２３１から抵抗Ｒ２３ａａ、フォトダイオードＰＤおよび抵抗Ｒ２３ａｂを経由して接地端子ｔｅ２３０に電流が流れる。このとき、抵抗Ｒ２３ａｂの両端間には、フォトダイオードＰＤに流れる電流に応じた電圧が発生する。なお、フォトダイオードＰＤとしては、ＰＮ型、ＰＩＮ型、ショットキー型、アバランシェ型のいずれを用いてもよい。また、フォトダイオードＰＤの代わりに光電管等の他の光電変換素子を用いてもよい。
【００４０】
また、抵抗Ｒ２３ａｂの両端間に生じる電圧のノイズ成分を除去するために、コンデンサＣ２３ａが、フォトダイオードＰＤのカソードと、抵抗Ｒ２３ａｂにおけるフォトダイオードＰＤに接続される一端とは反対側の他端との間に接続されている。
差動増幅回路２３ｂは、明るさ検知回路２３ａの抵抗Ｒ２３ａｂの両端間に生じる電圧を増幅して第１信号端子ｔｅ２３２と第２信号端子ｔｅ２３３との間に出力する。この差動増幅回路２３ｂは、オペアンプＯＰと、抵抗Ｒ２３ｂａ，Ｒ２３ｂｂ，Ｒ２３ｂｃ，Ｒ２３ｂｄとから構成される。このように、差動増幅回路２３ｂを採用しているのは、明るさセンサ２３からの出力に重畳されるノイズの低減を図るためである。
【００４１】
図２（ｂ）に示すように、フォトダイオードＰＤに入力される光の光束Φの増加に伴って、差動増幅回路２３ｂから出力される電圧信号の振幅も上昇する。このメカニズムは以下の通りである。
フォトダイオードＰＤに入力される光の光束Φが増加すると、フォトダイオードＰＤ内をカソードからアノードに向かって流れる電流（以下、「発電電流」と称する。）が増加し、それに伴い、抵抗Ｒ２３ａｂの両端間に生じる電圧が上昇する。そして、抵抗Ｒ２３ａｂの両端間に生じる電圧の上昇に比例して差動増幅回路２３ｂから出力される電圧信号の振幅も上昇する。
【００４２】
また、図２（ａ）に示すように、トランジスタＱ２３は、Ｐチャネル型ＭＯＳＦＥＴからなり、ドレインが電源端子ｔｅ２３１に接続され、ソースが抵抗Ｒ２３を介してフォトダイオードＰＤと抵抗Ｒ２３ａｂとの間に接続されている。また、トランジスタＱ２３のゲートは、第１信号端子ｔｅ２３２に接続されている。ここにおいて、第１信号端子ｔｅ２３２の電位がトランジスタＱ２３のソース電位よりもトランジスタＱ２３のターンオン電圧分だけ低くなったときに、トランジスタＱ２３がオンする。
【００４３】
トランジスタＱ２３がオンすると、フォトダイオードＰＤの発電電流とともに、電源端子ｔｅ２３１からトランジスタＱ２３および抵抗Ｒ２３を経由して流れる電流が、抵抗Ｒ２３ａｂに流れ込む。一方、トランジスタＱ２３がオフすると、フォトダイオードＰＤの発電電流のみが抵抗Ｒ２３ａｂに流れ込む。つまり、トランジスタＱ２３がオンしている場合に抵抗Ｒ２３ａｂに流れ込む電流は、トランジスタＱ２３がオフしている場合に抵抗Ｒ２３ａｂに流れ込む電流よりも大きくなる。従って、トランジスタＱ２３がオンしている場合に抵抗Ｒ２３ａｂの両端間に生じる電圧は、トランジスタＱ２３がオフしている場合に抵抗Ｒ２３ａｂの両端間に生じる電圧よりも高くなる。
【００４４】
ダイオードＤ２３ｂは、アノードが第１信号端子ｔｅ２３２に接続され、カソードが接地端子ｔｅ２３０に接続されている。これにより、第１信号端子ｔｅ２３２の電圧が、接地端子ｔｅ２３０の電圧に比べて低下した場合、第１信号端子ｔｅ２３２から接地端子ｔｅ２３０に向かって流れる電流を遮断することができる。
＜２＞外観構成
本実施の形態に係る照明装置の一例の斜視図を図３および図４に示す。
【００４５】
図３および図４に示す照明装置は、いわゆる住宅用シーリングタイプの照明装置である。
照明装置は、装置本体２０１と、装置本体２０１の一部を覆う第１カバー２０４および第２カバー２０５とを備える。
装置本体２０１は、有底円筒状部２０１ａと、有底円筒状部２０１ａの開口端全周に亘って筒軸方向から離れる方向に延出した外鍔部２０１ｂとを備える。
【００４６】
有底円筒状部２０１ａの底壁２０１ｃの略中央部には、平面視円形の貫通孔２０１ａａが形成されている。この貫通孔２０１ａａには、装置本体２０１を天井等に取り付けるためのアダプタ（図示せず）が嵌合固定される。
有底円筒状部２０１ａの底壁２０１ｃの内面側には、円環状の形状を有する第１発光部１１が貫通孔２０１ａａを囲繞するように配置されている。
【００４７】
有底円筒状部２０１ａの底壁２０１ｃの外面側には、点灯装置１が取り付けられている。そして、第１カバー２０４は、底壁２０１ｃにおける点灯装置１が取り付けられた部分を覆っている。
有底円筒状部２０１ａの底壁２０１ｃの貫通孔２０１ａａの外周部には、受信ユニット２０２と釦ユニット２０３とが配置されている。
【００４８】
受信ユニット２０２は、６個のＬＥＤ１２ａからなる第２発光部１２と、第２発光部１２に隣接して配置された受信部３１と、第２発光部１２および受信部３１を覆うように配置されたドーム状のレンズカバー２０２ａとを備える。
釦ユニット２０３には、３つの押釦スイッチからなるスイッチＳＷ１，ＳＷ２，ＳＷ３それぞれの釦２０３ａ，２０３ｂ，２０３ｃが突出している。
【００４９】
外鍔部２０１ｂにおける有底円筒状部２０１ａの開口部側とは反対側の一部には、窪部２０１ｂａが形成されている。また、窪部２０１ｂａの底部には、２つの貫通孔２０１ｂｂ，２０１ｂｃが形成されている。そして、この窪部２０１ｂａ内には、各貫通孔２０１ｂｂ，２０１ｂｃから明るさセンサ２３の受光部と表示灯２２とが露出した状態でセンサユニット２１が配置されている。そして、点灯装置１から導出した信号線Ｌが、センサユニット２１に接続されている。
【００５０】
第２カバー２０５は、信号線Ｌの一部と窪部２０１ｂａの開口部分を覆っている。
＜３＞動作
次に、本実施の形態に係るマイコン１０６ａの動作について説明する。
マイコン１０６ａの動作のフローチャートを図５に示す。
まず、マイコン１０６ａは、端子ｔｅ６１，ｔｅ６２，ｔｅ６３の電圧が同時に「Ｈｉｇｈ」レベルから「Ｌｏｗ」レベルに切り替わったか否かを判定する（ステップＳ１）。ここにおいて、釦ユニット２０３の釦２０３ａ，２０３ｂ，２０３ｃが一度同時に押下されると、スイッチＳＷ１，ＳＷ２，ＳＷ３が同時にオンし、端子ｔｅ６１，ｔｅ６２，ｔｅ６３の電圧が同時に「Ｈｉｇｈ」レベルから「Ｌｏｗ」レベルに切り替わる。
【００５１】
マイコン１０６ａは、端子ｔｅ６１，ｔｅ６２，ｔｅ６３の電圧が同時に「Ｈｉｇｈ」レベルから「Ｌｏｗ」レベルに切り替わらない限り、ステップＳ１の処理を繰り返す。
ステップＳ１において、端子ｔｅ６１，ｔｅ６２，ｔｅ６３が同時に「Ｈｉｇｈ」レベルから「Ｌｏｗ」レベルに切り替わったと判定されると（ステップＳ１：Ｙｅｓ）、マイコン１０６ａは、端子ｔｅ５１からパルス電圧からなる問合せ信号を出力する（ステップＳ２）。同時に、マイコン１０６ａは、端子ｔｅ５２に入力される電圧信号を時系列で取得しメモリに記憶する。そして、問合せ信号の出力が完了すると、メモリには端子ｔｅ５２に入力される応答信号の時系列データが生成される。
【００５２】
実施の形態１に係るマイクロコンピュータおよび明るさセンサの動作を説明するためのタイムチャートを図６に示す。図６では、端子ｔｅ５２の電圧Ｖ（ｔｅ５２）と、明るさ検知回路２３ａの抵抗Ｒ２３ａｂの両端間に生じる電圧Ｖ（Ｒ２３ａｂ）と、端子ｔｅ５１に入力される電圧Ｖ（ｔｅ５１）との関係を示している。ここで、端子ｔｅ５１，ｔｅ５２の電圧とは、端子ｔｅ５１，ｔｅ５２と端子ｔｅ０との間の電圧に相当する。
【００５３】
図６（ａ）に示すように、端子ｔｅ５２から出力される問合せ信号は、電圧０Ｖと電圧−Ｖ１との間で変化する矩形波状の電圧波形を有する。
このパルス電圧が、センサユニット２３のトランジスタＱ２３のゲートに入力されると、抵抗Ｒ２３ａｂの両端間には図６（ｂ）に示すような電圧波形が生じる。図６（ｂ）において、トランジスタＱ２３がオンしている期間は、抵抗Ｒ２３ａｂの両端間に生じる電圧Ｖ（Ｒ２３ａｂ）は、電圧Ｖ２で略一定に維持される。この電圧Ｖ２は、電源端子ｔｅ２３１の電圧よりも抵抗Ｒ２３の電圧降下分だけ低い電圧に相当する。
【００５４】
一方、トランジスタＱ２３がオフしている期間は、抵抗Ｒ２３ａｂの両端間に生じる電圧Ｖ（Ｒ２３ａｂ）は、フォトダイオードＰＤの発電電流の大きさに応じた電圧が発生する。そして、図６（ｃ）に示すように、差動増幅回路２３ｂからは、抵抗Ｒ２３ａｂを増幅して得られる電圧Ｖ（ｔｅ５１）が出力される。
続いて、図５に示すように、マイコン１０６ａは、メモリから端子ｔｅ５２への応答信号の時系列データを取得し（ステップＳ３）、取得した時系列データから端子ｔｅ５２の電圧が閾値Ｖｔｈ以上で維持される期間Ｔ１の長さと、当該期間Ｔ１の出現回数を算出する（ステップＳ４）。図６（ｃ）に示す例では、期間Ｔ１の出現回数は、「３」となる。
【００５５】
その後、図５に示すように、マイコン１０６ａは、期間Ｔ０の出現回数と期間Ｔ１の出現回数とが一致しているか否かを判定する（ステップＳ５）。
ステップＳ５において、期間Ｔ０の出現回数と期間Ｔ１の出現回数とが一致しないと判定されると（ステップＳ５：Ｎｏ）、マイコン１０６ａは、そのまま検査処理を終了する。
【００５６】
一方、ステップＳ５において、期間Ｔ０の出現回数と期間Ｔ１の出現回数とが一致していると判定されると（ステップＳ５：Ｙｅｓ）、マイコン１０６ａは、期間Ｔ１（ｉ）（ｉ＝０，１，２）それぞれの長さが、期間Ｔ１の長さに等しいか否かを判定する（ステップＳ６）。
ステップＳ６において、期間Ｔ１（ｉ）（ｉ＝０，１，２）のうち少なくとも１つの長さが期間Ｔ０の長さと異なる場合（ステップＳ６：Ｎｏ）、マイコン１０６ａは、そのまま検査処理を終了する。
【００５７】
一方、ステップＳ６において、期間Ｔ１（ｉ）（ｉ＝０，１，２）の長さそれぞれが期間Ｔ０の長さに等しい場合（ステップＳ６：Ｙｅｓ）、マイコン１０６ａは、第２発光部１２を点灯させる（ステップＳ７）。具体的には、マイコン１０６ａは、端子ｔｅ３の電圧を「Ｈｉｇｈ」レベルに上昇させることにより、トランジスタＱ１０６をオンさせる。
以上により、点灯装置１とセンサユニット２１とが正常に接続されていれば、第２発光部１２が点灯し、点灯装置１とセンサユニット２１とが接続不良の状態にあれば、第２発光部１２が点灯しない。
【００５８】
従って、照明装置の出荷前検査時に、スイッチＳＷ１，ＳＷ２，ＳＷ３を同時にオンさせるだけで、点灯装置１とセンサユニット２１とが正常に接続されているか否かを判定することができるので、検査作業の簡易化を図ることができる。
また、マイコン１０６ａは、期間Ｔ０の出現回数と期間Ｔ１の出現回数とが一致しないと判定された時点で期間Ｔ１（ｉ）それぞれの長さが期間Ｔ０の長さに一致するか否かを判定する処理を行わずに検査処理を終了する。これにより、検査処理の時間短縮が図られている。
【００５９】
＜４＞まとめ
結局、本実施の形態に係る照明装置では、釦ユニット（受付手段）２０３の釦２０３ａ，２０３ｂ，２０３ｃが同時に押下（センサユニット２１と制御回路１０６との接続状態を検査するための操作）されると、スイッチＳＷ１，ＳＷ２，ＳＷ３が同時にオンする。そして、制御回路（制御部）１０６が、センサユニット２１に問合せ信号を出力し、このときに、センサユニット２１から所定の波形を有する電圧（応答信号）が入力されるか否かによってセンサユニット２１と制御回路１０６との間の接続状態を判定する。具体的には、センサユニット２１と制御回路１０６とが信号線Ｌを介して正常に接続されていれば、センサユニット２１から制御回路１０６に所定の波形を有する電圧が入力される。一方、センサユニット２１と制御回路１０６との間で接続不良が生じていれば、制御回路１０６に所定の波形を有する電圧が入力されない。
【００６０】
これにより、センサユニット２１と制御回路１０６との接続状態の検査を行う者は、釦ユニット２０３の釦２０３ａ，２０３ｂ，２０３ｃを同時に押下するだけで、センサユニット２１と制御回路１０６との間の接続状態を検査することができる。また、接続状態の検査のための操作と工場出荷時の初期化操作（点灯状態やリモコンとの紐付け設定などを所定の設定に戻すための操作）を兼用し、一度に処理することでより時間短縮となる。初期化操作における点灯状態と接続状態の検査時の点灯状態を合わせておけばよい。
【００６１】
従って、センサユニット２１と制御回路１０６との接続状態の検査を行うために、照明装置を明るさが変化する環境に置く必要がなくなり、その分、検査作業の簡易化を図ることができる。また、本実施の形態に係る照明装置では、釦ユニット２０３の釦２０３ａ，２０３ｂ，２０３ｃを同時に押下した後、接続状態の検査結果が判明するまでの時間は、高々センサユニット２１と制御回路１０６との間で電圧信号の送受信に要する時間程度であり、釦ユニット２０３の釦２０３ａ，２０３ｂ，２０３ｃを同時に押下してから検査結果が判明するまでの時間が短い。そのため、検査時間全体の大幅な短縮を図ることができる。
【００６２】
＜実施の形態２＞
本実施の形態に係る照明装置は、センサユニット２０２１がデジタル信号を出力する構成である点が実施の形態１に係るセンサユニット２１とは相違する。
センサユニット２０２１は、照度値を示すデジタル信号を制御回路１０６に対して同期式で送信する。具体的には、明るさセンサ２０２３は、第１信号端子ｔｅ２３２からクロック信号を送信し、第２信号端子ｔｅ２３３から照度値を示すデジタル信号を送信する。
【００６３】
本実施の形態に係る明るさセンサ２０２３の回路図を図７に示す。なお、実施の形態１と同様の構成については同一の符号を付して適宜説明を省略する。
センサユニット２０２１は、明るさ検知回路２３ａと、差動増幅回路２３ｂと、センサユニット用のマイクロコンピュータ（以下、「センサ用マイコン」と称する）２１２３と、メモリ２２２３とを備える。
【００６４】
メモリ２２２３は、センサ用マイコン２１２３が照度値を算出する際に必要な係数値を記憶している。また、メモリ２２２３は、制御回路１０６から入力される問合せ信号のビットパターンと、センサ用マイコン２１２３が出力する応答信号のビットパターンとを記憶している。
センサ用マイコン２１２３は、差動増幅回路２３ｂからのアナログ出力をデジタル信号に変換して第１信号端子ｔｅ２３２に出力する。このセンサ用マイコン２１２３は、Ａ／Ｄ変換部２１２３ａと、照度算出部２１２３ｂと、通信部２１２３ｃとを有する。
【００６５】
Ａ／Ｄ変換部２１２３ａは、差動増幅回路２３ｂから入力される電圧に対してＡ／Ｄ変換を行い、８ビットの電圧値を示す数値データを生成し、生成した数値データを照度算出部２１２３ｂに入力する。
照度算出部２０２３ｂは、Ａ／Ｄ変換部２１２３ａから入力される電圧値を示す数値データと、予めメモリ２１２３に記憶されている係数値を示す数値データとから電圧値に係数値を乗算して得られる照度値を示す数値データを算出する。そして、照度算出部２０２３ｂは、算出した照度値を示す数値データを通信部２１２３ｃに入力する。
【００６６】
通信部２１２３ｃは、照度値を示す数値データをデジタル信号に変換して第２信号端子ｔｅ２３３から送信するとともに、第１信号端子ｔｅ２３２からクロック信号を送信する。
また、通信部２１２３ｃは、制御回路１０６から信号入力があると、通信部２１２３ｃが入力された信号のビットパターンと、メモリ２２２３に予め記憶されている問合せ信号のビットパターンとを比較する。そして、センサ用マイコン２１２３は、入力された信号のビットパターンが問合せ信号のビットパターンと一致していると判定した場合、メモリ２２２３から応答信号のビットパターンを取得し、第２信号端子ｔｅ２３３から応答信号を出力する。
【００６７】
次に、本実施の形態に係るマイコン１０６ａの動作について説明する。
マイコン１０６ａの動作のフローチャートを図８に示す。なお、図８において、ステップＳ２１の処理は、実施の形態１のステップＳ１の処理と同様なので詳細な説明は省略する。
ステップＳ１において、端子ｔｅ６１，ｔｅ６２，ｔｅ６３が同時に「Ｈｉｇｈ」レベルから「Ｌｏｗ」レベルに切り替わったと判定されると（ステップＳ２１：Ｙｅｓ）、マイコン１０６ａは、端子ｔｅ５１から問合せ信号を出力する（ステップＳ２２）。
【００６８】
このとき、センサユニット２０２１は、制御回路１０６から信号線Ｌを介して問合せ信号が入力されると、信号線Ｌを介して応答信号を出力する。ここで、点灯装置１から導出した信号線Ｌとセンサユニット２０２１との接続不良が生じていると、センサユニット２０２１に問合せ信号が入力されない。また、マイコン１０６ａは、メモリに応答信号を受信したか否かを判定するための応答信号受信フラグを保持している。この応答信号受信フラグは、応答信号を受信しない状態では「０」に設定されている。そして、マイコン１０６ａは、問合せ信号を出力した後、所定の確認時間（例えば、０．５ｓｅｃ）内にセンサユニット２０２１から応答信号が入力されると、メモリに記憶されている応答信号受信フラグを「１」に設定する。
【００６９】
続いて、マイコン１０６ａは、上記確認時間内にセンサユニット２０２１から応答信号を受信したか否かを判定する（ステップＳ２３）。具体的には、マイコン１０６ａが、応答信号受信フラグの内容が「１」に設定されているか否かを判定する。
ステップＳ３において、センサユニット２０２１から応答信号を受信していないと判定した場合（ステップＳ２３：Ｎｏ）、マイコン１０６ａは、そのまま検査処理を終了する。
【００７０】
一方、ステップＳ２３において、センサユニット２０２１から応答信号を受信したと判定した場合（ステップＳ２３：Ｙｅｓ）、マイコン１０６ａは、メモリの応答信号受信フラグを「０」に設定してから、第２発光部１２を点灯させる（ステップＳ２４）。具体的には、マイコン１０６ａが、端子ｔｅ３の電圧を「Ｈｉｇｈ」レベルに上昇させることにより、トランジスタＱ１０６をオンさせる。
【００７１】
以上により、制御回路１０６とセンサユニット２０２１とが正常に接続されていれば、第２発光部１２が点灯し、制御回路１０６とセンサユニット２０２１とが接続不良の状態にあれば、第２発光部１２が点灯しない。
＜変形例＞
（１）実施の形態１および２では、マイコン１０６ａが、釦２０３ａ，２０３ｂ，２０３ｃが同時に押下されたことに起因して問合せ信号を出力する例について説明したが、例えば、釦２０３ａ，２０３ｂ，２０３ｃを所定の順序で押下したことに起因するものであってもよい。
【００７２】
（２）実施の形態１および２では、マイコン１０６ａが、釦ユニット２３０の釦２０３ａ，２０３ｂ，２０３ｃが押下されたことに起因して、センサユニット２１に問合せ信号を送信する例について説明したが、これに限定されるものではない。例えば、リモコンにおいて所定の操作を行うと、マイコン１０６ａからセンサユニット２１に問合せ信号を入力するものであってもよい
本変形例に係る照明装置およびリモコンの構成を示すブロック図を図９に示す。
【００７３】
照明装置１０は、送信部５１を備える点が実施の形態１に係る照明装置と相違する。なお、実施の形態１と同様の構成については同一の符号を付して適宜説明を省略する。
リモコン（リモートコントローラ）３０００は、リモコン制御部３００１と、リモコン送信部３００３と、リモコン受信部３００５と、操作釦３００７と、表示部３００９とを備える。ここで、リモコン制御部３００１は、操作釦３００７に対して行われる操作内容に基づいてリモコン送信部３００３から指示信号を送信する。また、リモコン制御部３００１は、リモコン受信部３００５で照明装置１０の送信部５１から発信された信号をリモコン受信部３００５で受信し、受信した信号の内容に基づいて表示部３００９に所定の表示を行うことができる。
【００７４】
リモコン３０００では、操作釦３００７に対してセンサユニット２１と制御回路１０６との間の接続状態を検査するための所定の操作が行われると、リモコン制御部３００１がリモコン送信部３００３から検査指示信号を送信する（図９の破線矢印Ａ１参照）。
一方、照明装置１０では、点灯装置１が、受信部３１が検査指示信号を受信すると、センサユニット２１に対して問合せ信号を入力することによりセンサユニット２１と制御回路１０６との間の接続状態を検査する（図９の破線矢印Ａ２参照）。そして、点灯装置１は、センサユニット２１と制御回路１０６との接続状態を示す検査結果信号を送信部５１からリモコン３０００のリモコン受信部３００５に対して送信する（図９の破線矢印Ａ３参照）。
【００７５】
すると、リモコン３０００では、リモコン受信部３００５が検査結果信号を受信すると、制御部３００１が検査結果信号の内容に基づいて接続不良の有無を示す情報を表示部３００９に表示する。
なお、本変形例では、照明装置１０が実施の形態１に係るセンサユニット２１を備える例について説明したが、実施の形態２に係るセンサユニット２０２１を備える構成であってもよい。
【００７６】
本変形例に係る照明装置１０では、検査を行う者が照明装置１０から離れた位置に居てもセンサユニット２１と制御回路１０６との接続状態を検査することができるので、検査効率が向上するという利点がある。
なお、１台のリモコン３０００から複数台の照明装置１０に対して検査指示信号を送信し、当該複数台の照明装置１０から検査結果信号を受信する構成としてもよい。この構成によれば、１台のリモコン３０００で複数台の照明装置１０についてセンサユニット２１と制御回路１０６との接続状態を検査することができるので、更なる検査作業の効率向上を図ることができる。
【００７７】
（３）実施の形態１および２では、センサユニット２１と制御回路１０６との間の接続状態を第２発光部１２を点灯消灯させることにより報知する例について説明したが、センサユニット２１と制御回路１０６との間の接続状態を報知する手段はこれに限定されるものではない。例えば、センサユニット２１と制御回路１０６との間に接続不良が生じている場合、マイコン１０６ａが、ブザー４１を鳴動させたり或いは表示灯２２を点滅させるようにしてもよい。
【００７８】
（４）なお、接続状態の検査以外の用途として、センサユニット２１自体の不良や故障を確認することにも利用できる。例えば自動調光が正常に動作していない場合（周囲の明るさに応じ調光率が変化しないなど）に、前述の操作を行うことで異常があれば同様に報知すればよい。
具体的には、センサユニット２１から入力される電圧値や数値データが正常な場合の所定の範囲を外れている場合は、センサユニット２１に何らかの異常（センサユニット２１の故障、センサユニット２１の検知部表面の汚れや異物の付着、その他センサユニット２１を構成する回路部品の故障など）が生じていると見なして、第２発光部１２を点灯しないようにしてもよい。
【符号の説明】
【００７９】
１        点灯装置
１０      照明装置
１１      第１発光部
１２      第２発光部
１１ａ，１２ａ  ＬＥＤ
２１，２０２１  センサユニット
２２      表示灯
２３，２０２３  明るさセンサ
２３ａ    明るさ検知回路
２３ｂ    差動増幅回路
３１      受信部
４１      ブザー
５１      送信部
１０６    制御回路（制御部）
１０６ａ  マイコン
２０２    受信ユニット
２０３    釦ユニット
２０３ａ，２０３ｂ，２０３ｃ  釦（受付手段）
２１２３  センサ用マイコン
３０００  リモコン
Ｑ２３，Ｑ１０６    トランジスタ
Ｒ１，Ｒ２，Ｒ３  抵抗
ＳＷ１，ＳＷ２，ＳＷ３  スイッチ（受付手段）
【図１】
2014022304.tif 000003
【図２】
2014022304.tif 000004
【図３】
2014022304.tif 000005
【図４】
2014022304.tif 000006
【図５】
2014022304.tif 000007
【図６】
2014022304.tif 000008
【図７】
2014022304.tif 000009
【図８】
2014022304.tif 000010
【図９】
2014022304.tif 000011